(57)【要約】【課題】帯状部材や線状部材を被取付物に取り付けたり取り外したりする取付作業性を向上するとともに、取付状態を確実に維持する。【解決手段】帯状部材（ストラップ４）または線状部材を挿通して装着する装着部１２と、被取付部２の膨出部２ｂを貫通可能な貫通孔１５と、該貫通孔１５に連通するとともに該貫通孔１５から装着部１２と反対側に延び被取付部２の軸部２ａを挿通する挿通溝１６とを備えた本体１０と、本体に回動可能に軸着され、挿通溝１６の内部に突出し該挿通溝１６の端部とで軸部２ａより大きく膨出部２ｂより小さい小孔Ｂを形成する係止部２５と、本体１０から外方に突出する操作部２８とを備えた係止部材２３と、係止部材２３の係止部２５が本体１０の挿通溝１６内に突出した状態を維持するように係止部材２３を付勢する付勢部材２９とからなる構成とする。【選択図】  図１
2004183739.tif 000002
【特許請求の範囲】
【請求項１】
取付対象物に、断面円形状の軸部の先端に外向きに突出する膨出部を設けた略Ｔ字形状の被取付部を配設し、該被取付部を介して前記取付対象物に帯状部材または線状部材を取り付けるための取付具であって、
前記帯状部材または線状部材を挿通して装着する装着部と、前記被取付部の膨出部を貫通可能な貫通孔と、該貫通孔に連通するとともに該貫通孔から前記装着部と反対側に延び前記被取付部の軸部を挿通する挿通溝とを備えた本体と、
前記本体に回動可能に軸着され、前記挿通溝の内部に突出し該挿通溝の端部とで前記軸部より大きく前記膨出部より小さい小孔を形成する係止部と、前記本体から外方に突出する操作部とを備えた係止部材と、
前記係止部材の係止部が本体の挿通溝内に突出した状態を維持するように前記係止部材を付勢する付勢部材と
からなることを特徴とする取付具。
【請求項２】
前記係止部材の係止部は、前記本体の挿通溝内に突出した状態で、前記貫通孔とで前記膨出部より大きい大孔を形成することを特徴とする請求項１に記載の取付具。
【請求項３】
前記本体は一対の板状体からなり、これらの間に前記係止部材および付勢部材を挟持するように配設したことを特徴とする請求項１または請求項２に記載の取付具。
【発明の詳細な説明】
【０００１】
【発明の属する技術分野】
本発明は、例えば取付対象物であるギターに、ストラップなどの帯状部材を取り付けるための取付具に関するものである。
【０００２】
【従来の技術】
図７に示すように、帯状部材を取り付ける取付対象物の１つであるギター１は、その本体の前後両端に被取付部２が固定されている。そして、演奏者は、ギターを立った状態で演奏する場合、前記被取付部２に対して帯状部材であるストラップ３を取り付け、このストラップ３を肩に引っ掛けることによりギター１を所定位置に保持するようにしている。
【０００３】
図８（Ａ），（Ｂ）に示すように、前記被取付部２は、断面円形状の軸部２ａの先端に外向きに突出する膨出部２ｂを設けた断面略Ｔ字形状のものである。なお、図８（Ａ）に示す被取付部２Ａと図８（Ｂ）に示す被取付部２Ｂとは、被取付部２Ａの軸部２ａの直径および膨出部２ｂの直径が、被取付部２Ｂより若干大きい点でのみ相違する。
【０００４】
また、前記ストラップ３には、その両端に前記軸部２ａより若干大きい直径の貫通孔３ａと、該貫通孔に連通するスリット３ｂとが設けられている。そして、これら貫通孔３ａからスリット３ｂにかけた切断部分に、前記被取付部２Ａ，２Ｂの膨出部２ｂを貫通させ、貫通孔３ａに軸部２ａを位置させることにより、膨出部２ｂによって抜け止めを図り、取付状態を維持する構成としている。
【０００５】
【発明が解決しようとする課題】
しかしながら、前記取付構造では、帯状部材が硬質の材料からなる場合、取付状態を維持する維持力は強くなるが、取り付けおよび取り外しに係る作業性が悪くなるという問題がある。また、帯状部材が軟質の材料からなる場合、取り付けおよび取り外しに係る作業性は良くなるが、取付状態を維持する力が弱くなるという問題がある。このように取付状態の維持力が弱い場合、ステージ上で激しい動きをすると、ストラップ３が被取付部２から外れ、高価なギター１が脱落する可能性がある。
【０００６】
なお、この種の被取付部２に対して帯状部材を取り付ける構造としては、互いに連通した大孔と小孔とからなるいわゆる瓢箪形状の取付溝と、前記帯状部材を挿通して装着する装着部とを有する取付部材が知られている。この取付部材は、自動車のシートベルトなどに用いられており、大孔に前記被取付部２の膨出部２ｂを貫通させ、大孔と小孔との間の係止片を弾性的に撓ませながら軸部２ａを小孔に位置させることにより、取付状態を維持するものである。
【０００７】
しかし、前記取付部材では、前記係止部の突出量や材質により、やはり取付作業性が悪くなったり、取付状態を維持する維持力が弱くなったりするという問題がある。
【０００８】
そこで、本発明では、帯状部材や線状部材を被取付物に取り付けたり取り外したりする取付作業性を向上するとともに、取付状態を確実に維持できる取付具を提供することを課題とするものである。
【０００９】
【課題を解決するための手段】
前記課題を解決するため、本発明の取付具は、取付対象物に、断面円形状の軸部の先端に外向きに突出する膨出部を設けた略Ｔ字形状の被取付部を配設し、該被取付部を介して前記取付対象物に帯状部材または線状部材を取り付けるための取付具であって、前記帯状部材または線状部材を挿通して装着する装着部と、前記被取付部の膨出部を貫通可能な貫通孔と、該貫通孔に連通するとともに該貫通孔から前記装着部と反対側に延び前記被取付部の軸部を挿通する挿通溝とを備えた本体と、前記本体に回動可能に軸着され、前記挿通溝の内部に突出し該挿通溝の端部とで前記軸部より大きく前記膨出部より小さい小孔を形成する係止部と、前記本体から外方に突出する操作部とを備えた係止部材と、前記係止部材の係止部が本体の挿通溝内に突出した状態を維持するように前記係止部材を付勢する付勢部材とからなる構成としている。
【００１０】
前記取付具によれば、例えば装着部を設けた側を保持し、前記被取付部を貫通孔に貫通させた後、挿通溝の延び方向に沿って引っ張る。これにより、被取付部の軸部が係止部材の係止部に当接し、係止部材が付勢部材の付勢力に抗して回動し、被取付部の軸部が挿通溝内に挿通される。そして、軸部が係止部材の係止部の先端位置を越えると、係止部材の係止部が付勢部材の付勢力によって内向きに回動し、該係止部が挿通溝内に突出した状態に復帰する。
【００１１】
一方、前記被取付部から取付具を取り外す場合には、ユーザである演奏者は、前記係止部材の操作部を内向きに押圧し、付勢部材の付勢力に抗して係止部材を回動させる。これにより、挿通溝内に突出した係止部が外向きに移動し、挿通溝と貫通孔とが連通した状態になる。この状態で、取付具を挿通溝の延び方向に沿って取付時とは逆向きにスライドさせることにより、被取付部の軸部が貫通孔内に位置し、被取付部から取付具を簡単に取り外すことができる。
【００１２】
このように、本発明の取付具は、被取付部を介して取付対象物に対して簡単に取り付けおよび取り外しが可能である。また、この取付状態は、係止部と挿通溝の端部とで形成される小孔が前記被取付部の軸部より大きく膨出部より小さいため、確実に維持することができる。
【００１３】
前記取付具では、前記係止部材の係止部は、前記本体の挿通溝内に突出した状態で、前記貫通孔とで前記膨出部より大きい大孔を形成することが好ましい。このようにすれば、取付作業性をより向上することができる。
【００１４】
また、前記本体は一対の板状体からなり、これらの間に前記係止部材および付勢部材を挟持するように配設することが好ましい。このようにすれば、係止部材が被取付部と干渉することにより不用意に取付状態が解除されることを確実に防止できる。
【００１５】
【発明の実施の形態】
以下、本発明の実施の形態を図面に従って説明する。
図１（Ａ），（Ｂ）および図２は、本発明の実施形態に係る取付具を示す。この取付具は、大略、本体１０と、該本体１０に回動可能に軸着する一対の係止部材２３と、該係止部材２３を付勢する付勢部材２９とからなる。
【００１６】
前記本体１０は、一対の板状体１１Ａ，１１Ｂからなり、これらの間に前記係止部材２３および付勢部材２９を挟持して配設するものである。具体的には、これら板状体１１Ａ，１１Ｂは、帯状部材であるストラップ３を装着する幅広の装着部１２と、該装着部１２から略三角形状をなすように突出する細幅の取付部１４とからなる略Ｔ字形状のものである。これら板状体１１Ａ，１１Ｂは、互いに対向させた組立状態で、その肉厚が被取付部２の全高Ｔより薄くなるように形成されている。ここで、被取付部２の全高Ｔとは、図８（Ａ）に示すように、軸部２ａの基端から膨出部２ｂの先端までの寸法である。
【００１７】
前記各板状体１１Ａ，１１Ｂの装着部１２には、帯状部材であるストラップ３を挿通して折り返し、その端部と重畳した部分とを縫着することにより装着する装着孔１３がそれぞれ設けられている。
【００１８】
前記各板状体１１Ａ，１１Ｂの取付部１４には、略円形状の貫通孔１５と、該貫通孔１５に連通する挿通溝１６とが設けられている。前記貫通孔１５は、その直径が被取付部２の膨出部２ｂの外径より若干大きいものである。前記挿通溝１６は、前記貫通孔１５から装着孔１３と反対側に延びる略長楕円形状のものである。この挿通溝１６の溝幅は、前記被取付部２の軸部２ａの直径より大きく、前記貫通孔１５の直径より小さく形成されている。なお、本実施形態の挿通溝１６の内周縁には、図４（Ａ），（Ｂ）に示すように、組立状態で、本体１０の肉厚の中央に向けて傾斜する凸部１７が設けられている。この凸部１７，１７間の幅は、図８（Ａ）に示す大きい被取付部２Ａにおける軸部２ａの直径より若干大きく、また、図８（Ｂ）に示す小さい被取付部２Ｂの膨出部２ｂの直径より小さくなるように構成されている。
【００１９】
また、各取付部１４には、後述する係止部材２３および付勢部材２９を配設するための凹部１８が互いの対向面に設けられている。これら凹部１８は、板状体１１Ａ，１１Ｂの組立状態で形成される空間が、係止部材２３の肉厚より若干大きくなるように形成されている。なお、この凹部１８において、前記挿通溝１６の先端両側に位置する段部１８ａは、付勢部材２９によって内向きに付勢された係止部材２３の先端２３ｃが当接し、付勢部材２９の付勢力による回動を停止するストッパの役割をなすように、その傾斜角度が設定されている。
【００２０】
さらに、図２中、上側に位置する一方の板状体１１Ａには、前記装着孔１３を囲繞するように装着溝１９ａが形成され、下側に位置する他方の板状体１１Ｂには、前記装着孔１３を囲繞するように前記装着溝１９ａに圧入される装着突部２０ａが設けられている。また、板状体１１Ａには、凹部１８が形成されていない前記挿通溝１６の先端側に円弧状の装着溝１９ｂが形成され、板状体１１Ｂには前記装着溝１９ｂに圧入される装着突部２０ｂが設けられている。
【００２１】
さらにまた、板状体１１Ａの凹部１８には、前記貫通孔１５と装着孔１３との間に位置するように係止突部２１が設けられ、板状体１１Ｂの凹部１８には、係止部材２３を回動可能に軸着するとともに前記係止突部２１が圧入される軸受部２２が設けられている。これら係止突部２１および軸受部２２は、前記挿通溝１６の先端位置とで２等辺三角形状をなすように形成されている。
【００２２】
前記係止部材２３は、前記本体１０の貫通孔１５から挿通溝１６にかけた形状に一致する内辺２３ａと、前記本体１０における取付部１４の外側縁の形状に一致する外辺２３ｂとを有する板状のものである。この係止部材２３には、前記軸受部２２と対応する位置に、該軸受部２２を貫通させて回動可能に軸着するための軸孔２４が設けられている。また、この係止部材２３の先端２３ｃは、前記本体１０の段部１８ａの傾斜角度と一致し、該段部１８ａに当接することにより内向きの回動が停止するように構成されている。
【００２３】
前記係止部材２３の内辺２３ａの側には、前記挿通溝１６の内部に突出し、その先端が他方の係止部材２３に当接する係止部２５が設けられている。この係止部２５は、本体１０の挿通溝１６内に突出した状態で、貫通孔１５とで前記膨出部２ｂより若干大きい直径の大孔Ａを形成するとともに、前記挿通溝１６の端部とで前記軸部２ａより若干大きい直径の小孔Ｂを形成する形状とされている。また、貫通孔１５の側に位置する角部は、取付作業時の開放性を向上するために円弧状の面取部２６が設けられている。さらに、この係止部材２３の内辺２３ａの側には、前記係止部２５と反対側の端部に、後述する付勢部材２９を位置決めする略Ｌ字形状の位置決め溝２７が設けられている。
【００２４】
前記係止部材２３の外辺２３ｂの側には、前記係止部２５と反対側の端部に位置するように、前記本体１０から外方に突出する操作部２８が設けられている。この操作部２８の外端は、前記本体１０の装着部１２の外端より内側に位置し、また、その端部が本体１０内に押し込まれた状態で前記係止部２５が挿通溝１６から後退して、該係止部２５の先端が完全に凹部１８内に収容される寸法に設定されている。
【００２５】
前記付勢部材２９は、略Ｖ字形状に屈曲された線条体からなり、前記係止部材２３における係止部２５を内向きに付勢するもので、その両端には、前記位置決め溝２７に挿通して位置決め保持される略Ｌ字形状の位置決め部３０が設けられている。この付勢部材２９は、前記係止部材２３における係止部２５と反対側の端部を外向きに付勢することにより、該係止部２５が本体１０の挿通溝１６内に突出した状態を維持する。
【００２６】
前記構成の取付具は、例えば下側の板状体１１Ｂの凹部１８に一対の係止部材２３を配設した後、各係止部材２３の位置決め溝２７に位置決め部３０が位置するように付勢部材２９を配設した状態で、上側から板状体１１Ａを被せる。そして、各板状体１１Ａ，１１Ｂの装着溝１９ａ，１９ｂを装着突部２０ａ，２０ｂに圧入するとともに、係止突部２１を軸受部２２に圧入することにより、組み立てが完了する。なお、接着剤により互いの対向面を接着してもよい。
【００２７】
そして、この取付具には、前記装着孔１３にストラップ３が略Ｕ字形状に折り返すようにして挿通され、そのストラップ３の端部と重畳した部分とを縫着することにより、帯状部材であるストラップ３に装着される。即ち、本発明の取付具を適用する場合には、帯状部材であるストラップ３には、従来例に示す貫通孔３ａやスリット３ｂは設ける必要はない。
【００２８】
前記構成の取付具を被取付部２に取り付ける場合、まず、ユーザは、装着孔１３を設けた側を保持し、図３（Ａ）に示すように、前記被取付部２を大孔Ａを構成する貫通孔１５に貫通させる。これにより、被取付部２の膨出部２ｂが貫通孔１５を通って本体１０の上面から突出する。
【００２９】
ついで、図中矢印に示すように、挿通溝１６の延び方向に沿って、その延び方向と逆向きに引っ張る。そうすると、まず、被取付部２の軸部２ａが係止部材２３の係止部２５に当接する。その後、係止部材２３を軸着する軸受部２２の位置と移動方向の関係、および、各係止部材２３に設けた面取部２６により、図３（Ｂ）に示すように、前記軸部２ａによる押圧力が係止部材２３を外向きに広げるように作用し、該係止部材２３が付勢部材２９の付勢力に抗して外向きに回動する。これにより、本体１０の貫通孔１５と挿通溝１６とが連通し、被取付部２の軸部２ａが挿通溝１６内に挿通される。
【００３０】
ついで、前記軸部２ａが係止部材２３の係止部２５の先端位置を越えると、該係止部材２３が付勢部材２９の付勢力によって回動し、図３（Ｃ）に示すように、該係止部２５が挿通溝１６内に突出した状態に復帰する。なお、前記係止部材２３の内向きの回動は、その先端２３ｃが段部１８ａに当接するとともに、互いの係止部２５の先端が当接した状態で停止する。そして、その際、これらの当接により、「カチッ」という音を発する。そのため、暗い場所で手探りにより取付操作をしたり、弱視のユーザであっても耳でその取付確認を行うことができる。
【００３１】
この取付状態では、被取付部２の軸部２ａが取付具において挿通溝１６と係止部２５とで構成する小孔Ｂ内に位置し、また、小孔Ｂより大径の膨出部２ｂが本体１０の上面に位置している。そして、前記小孔Ｂの直径である挿通溝１６の溝幅は、図８（Ａ）に示す大きい被取付部２Ａにおける軸部２ａの直径より若干大きく、また、図８（Ｂ）に示す小さい被取付部２Ｂの膨出部２ｂの直径より小さくなるように形成しているため、図４（Ａ），（Ｂ）に示すように、いずれの被取付部２Ａ，２Ｂであっても小孔Ｂから離脱することはない。
【００３２】
また、この取付状態において、図中波線の矢印で示すように、被取付部２に貫通孔１５の方向に移動する力が加わった場合、該被取付部２の軸部２ａが係止部材２３の係止部２５に当接する。この際、本実施形態では、軸受部２２と挿通溝１６の先端位置とで２等辺三角形状をなすように構成しているため、前記軸部２ａによる押圧力は、各係止部材２３の係止部２５が互いに当接する方向に集中するように作用する。その結果、各係止部材２３の係止部２５が開き、これらの間を通って軸部２ａが貫通孔１５内に位置し、離脱可能な状態になることはない。
【００３３】
一方、前記被取付部２から取付具を取り外す場合には、ユーザである演奏者は、図１（Ｂ）に示すように、前記係止部材２３の操作部２８を内向きに押圧し、付勢部材２９の付勢力に抗して係止部材２３を回動させる。これにより、挿通溝１６内に突出した係止部２５が外向きに移動し、該係止部２５が本体１０の凹部１８内に完全に収容された状態になる。その結果、挿通溝１６の先端部分と貫通孔１５とが連通した状態になる。
【００３４】
この状態で、取付具を挿通溝１６の延び方向に沿って図３に示す矢印とは逆方向にスライドさせる。これにより、被取付部２の軸部２ａが貫通孔１５内に位置する。そして、ユーザは、被取付部２の突出方向に沿って取付具を移動させることにより、被取付部２から簡単に取り外すことができる。
【００３５】
なお、ユーザによる取付具の操作部２８の押圧動作は、取付具を被取付部２から取り外すまで行ってもよく、また、被取付部２の軸部２ａが貫通孔１５内に位置した時点で止めてもよい。
【００３６】
このように、本発明の取付具を被取付部２を介して取付対象物であるギター１に取り付ける際には、その貫通孔１５に被取付部２を貫通させて引っ張るだけで簡単に取り付けることができる。また、取付具を被取付部２から取り外す際には、操作部２８を押圧操作することにより、簡単に取り外すことができる。そのため、取り付けおよび取り外しに係る作業性に優れており、一方の手でギター１を保持した状態で、他方の手のみで着脱作業を行うことができる。その結果、何等かの理由でステージ上でストラップ３を交換する必要が生じた場合に、迅速に交換することができる。
【００３７】
また、取付状態は、内向きに付勢された係止部材２３の係止部２５によって確実に維持することができる。しかも、被取付部２の軸部２ａが係止部２５に当接しても係止部材２３が開く方向に押圧力が作用することはない。そのため、取付状態を維持する維持力にも非常に優れている。その結果、ステージ上で激しい動きをした際に、ストラップ３が外れ、高価なギター１が脱落する恐れもない。
【００３８】
さらに、本実施形態では、本体１０を一対の板状体１１Ａ，１１Ｂにより構成し、これらの間に係止部材２３および付勢部材２９を挟持した構成としているため、係止部材２３が取付対象物であるギター１や自身の身体に干渉することにより、該係止部材２３が不用意に回動して取付状態が解除されることを確実に防止できる。
【００３９】
さらにまた、本実施形態の挿通溝１６の内周縁には、内向きに傾斜する凸部１７を設けているため、図８（Ｂ）に示すように、軸部２ａが湾曲した曲面により形成されていても、安定した取付状態を維持できる。
【００４０】
なお、本発明の取付具は、前記実施形態の構成に限定されるものではなく、種々の変更が可能である。
【００４１】
例えば、前記実施形態では、一対の板状体１１Ａ，１１Ｂからなる本体１０に係止部材２３を配設し、板状をなすように取付具を形成したが、図５に示すように、挿通溝１６の先端部分が最下端に位置するように階段状に段差が設けられるように形成してもよい。
【００４２】
また、前記実施形態では、挿通溝１６は、貫通孔１５より細幅に形成したが、図６に示すように、該貫通孔１５と同一幅に形成してもよい。言い換えれば、貫通孔１５と挿通溝１６とを、１つの長楕円形状の溝により構成してもよい。この場合、係止部材２３は、図示のように、小孔Ｂの大部分が２つの係止部２５により形成されるように構成する。
【００４３】
さらに、前記実施形態では、凹部１８の先端の段部１８ａにより係止部材２３の回動を停止するストッパを構成したが、挿通溝１６または貫通孔１５の縁などに突片からなる専用のストッパを設けてもよい。
【００４４】
さらにまた、前記実施形態では、本体１０に一対の係止部材２３を回動可能に組み付けた構成としたが、１つの係止部材２３のみにより構成してもよい。
【００４５】
また、前記実施形態では、取付対象物としてギター１を適用し、該ギター１に設けた被取付部２に着脱可能に取り付けるようにしたが、自動車のシートベルトを内装パネルに引っ掛けて取り付けるための構造としても適用可能である。また、取付具を取り付ける部材は、ストラップ３やシートベルトなどの帯状部材に限られず、ロープなどの線状部材であってもよい。
【００４６】
即ち、本発明の取付具は、帯状部材や線状部材を、略Ｔ字形状の被取付部２を配設した取付対象物に着脱可能に取り付けるものであれば、いずれの構造体にも多目的に適用できるものであり、いずれに適用しても前記と同様の作用および効果を得ることができる。
【００４７】
【発明の効果】
以上の説明から明らかなように、本発明の取付具では、被取付部を貫通孔に貫通させた後、挿通溝の延び方向に沿って引っ張るだけで簡単に取り付けることができる一方、係止部材の操作部を内向きに押圧するだけで簡単に取り外し可能な状態になる。そのため、一方の手だけで取付具を操作して簡単に取り付けおよび取り外しの作業を行うことができる。
【００４８】
また、取付操作時には、係止部材が付勢部材によって付勢されることにより、音を発するため、暗い場所で手探りにより取付操作をしたり、弱視のユーザであっても耳でその取付確認を行うことができる。
【００４９】
また、被取付部に対する取付具の取付状態では、挿通溝の端部と係止部とで軸部より大きく膨出部より小さい小孔を形成し、この小孔内に軸部を挿通するため、この取付状態を確実に維持することができる。
【図面の簡単な説明】
【図１】（Ａ），（Ｂ）は本発明の実施形態に係る取付具を示す斜視図である。
【図２】取付具の分解斜視図である。
【図３】（Ａ），（Ｂ），（Ｃ）は取付具を取付対象物の被取付部に取り付ける際の動作を示す平面図である。
【図４】（Ａ），（Ｂ）は取付具を異なる大きさの被取付部に取り付けた状態を示す断面図である。
【図５】取付具の変形例を示す斜視図である。
【図６】取付具の他の変形例を示す平面図である。
【図７】取付対象物であるギターに帯状部材であるストラップを取り付けた状態を示す正面図である。
【図８】（Ａ），（Ｂ）は従来の被取付部に対する帯状部材の取付構造を示す斜視図である。
【符号の説明】
１…ギター（取付対象物）、２…被取付部、２ａ…軸部、２ｂ…膨出部、３…ストラップ（帯状部材）、１０…本体、１１Ａ，１１Ｂ…板状体、１３…装着孔、１５…貫通孔、１６…挿通溝、２２…軸受部、２３…係止部材、２４…軸孔、２５…係止部、２８…操作部、２９…付勢部材、Ａ…大孔、Ｂ…小孔。
【図１】
2004183739.tif 000003
【図２】
2004183739.tif 000004
【図３】
2004183739.tif 000005
【図４】
2004183739.tif 000006
【図５】
2004183739.tif 000007
【図６】
2004183739.tif 000008
【図７】
2004183739.tif 000009
【図８】
2004183739.tif 000010